(57)【要約】      （修正有）【課題】カップ部の形態安定性を向上させ、バストの中央への寄せ効果や保形効果を安定的に維持し得るブラジャーを提供する。【解決手段】上縁部１１０Ｌ、１１０Ｒ、側縁部１１２Ｌ、１１２Ｒおよび下縁部１１４Ｌ、１１４Ｒを有する左右一対のカップ部１０Ｌ、１０Ｒと、カップ部の下縁部を下方から支持する土台部１２と、土台部に接続された左右一対のバック部１４Ｌ、１４Ｒと、カップ部の側縁部とバック部とを連結する左右一対の肩紐１６Ｌ、１６Ｒとを含むブラジャーにおいて、カップ部は、いずれも表地、クッション材、裏地を含んで形成される上カップ部と下カップ部とから構成され、下カップ部のクッション材の厚さを、上カップ部のクッション材の厚さよりも厚く形成したことを特徴とする。【選択図】図１
0003183699.tif 000002
【実用新案登録請求の範囲】
【請求項１】
上縁部、側縁部および下縁部を有する左右一対のカップ部と、該カップ部の下縁部を下方から支持する土台部と、該土台部に接続された左右一対のバック部と、該カップ部の側縁部と該バック部とを連結する左右一対の肩紐とを含むブラジャーにおいて、
前記カップ部は、いずれも表地、クッション材、裏地を含んで形成される上カップ部と下カップ部とから構成され、
前記下カップ部のクッション材の厚さを、前記上カップ部のクッション材の厚さよりも厚く形成したことを特徴とするブラジャー。
【請求項２】
前記下カップ部のクッション材の厚さを、前記上カップ部のクッション材の厚さの略２倍とした、請求項１に記載のブラジャー。
【請求項３】
前記下カップ部の裏地に切込みを形成し、該切込みからパッドを挿入可能とするパッド収納用ポケットを形成した、請求項１または２に記載のブラジャー。
【考案の詳細な説明】
【技術分野】
【０００１】
本考案は、バストを安定的に持ち上げ、美しいバストラインを保持し得るブラジャーに関する。
【背景技術】
【０００２】
従来よりブラジャーは、図５に示すように、バストを覆う左右一対のカップ部５１０と、カップ部５１０を下方から支持する土台部５１２と、土台部５１２に接続された左右一対のバック部５１４と、カップ部５１０とバック部５１４とを連結する左右一対の肩紐５１６とを含んで構成される。
【０００３】
ブラジャー５０１のカップ部５１０は、通常、表地とクッション材と裏地とから形成されるが、図５のように、カップ部５１０が上カップ部５１０ａと下カップ部５１０ｂとから構成されたブラジャー５０１は種々考案されている。
【０００４】
例えば、特許文献１には、上カップと下カップとにそれぞれパッド部が設けられているパッテッドブラジャーの少なくとも上カップに設けられたパッド部に、弾力性のある伸縮シートを含み、上カップの上側縁部を伸縮可能としたパッテッドブラジャーが開示されている。規格品でありながら個々人にフィトし得る、装着性に優れたブラジャーを提供しようというものである。
【０００５】
また、特許文献２には、乳房受けカップが上カップと下カップとで構成され、下カップを少なくとも２枚の芯材を重合して設けたブラジャーが開示されている。ボリュームあるバストであっても重みに耐え得る強度にしてカップの型崩れを防止し、バストアップし得るよう構成してバストの保持と補整を図り、バストを美しく整容する意図である。
【０００６】
【特許文献１】特開平５１２４７００５号公報
【特許文献２】特開２００２−２２７００５号公報
【考案の開示】
【考案が解決しようとする課題】
【０００７】
しかし、特許文献１に記載のパッテッドブラジャーは、バスト上部のフィト感は出せても、中央にバストを寄せてバストアップさせる効果に欠けている。また、特許文献２に記載のブラジャーは、下カップを少なくとも２枚の芯材を重合して設けているので、重合部分と非重合部分のバランス調整が難しく、安定性に欠ける嫌いがある。
【０００８】
そこで本考案は、カップ部の形態安定性を向上させ、バストの中央への寄せ効果や保形効果を安定的に維持し得るブラジャーを提供することを目的とする。
【課題を解決するための手段】
【０００９】
上記課題を克服すべく、本考案に係るブラジャーは、上縁部、側縁部および下縁部を有する左右一対のカップ部と、該カップ部の下縁部を下方から支持する土台部と、該土台部に接続された左右一対のバック部と、該カップ部の側縁部と該バック部とを連結する左右一対の肩紐とを含むブラジャーにおいて、前記カップ部は、いずれも表地、クッション材、裏地を含んで形成される上カップ部と下カップ部とから構成され、前記下カップ部のクッション材の厚さを、前記上カップ部のクッション材の厚さよりも厚く形成したことを特徴とする。
【００１０】
本考案のブラジャーは、前記下カップ部のクッション材の厚さを、前記下カップ部のクッション材の厚さの略２倍とするのが好適である。
【００１１】
本考案のブラジャーは、前記下カップ部の裏地に切込みを形成し、該切込みからパッドを挿入可能とするパッド収納用ポケットを形成してもよい。
【００１２】
本考案のブラジャーは、前記肩紐は、前記カップ部の側縁部に接続する吊上げ部と、前記バック部に接続する肩掛け部と該吊上げ部と該肩掛け部とを連結する連結部と、から構成され、前記吊上げ部は、前記カップ部の側縁部の上方を一端として前記連結部を挿通し、該側縁部の一端より下方を他端として該カップ部の側縁部に連結する紐により、正面視で三角形状に形成した。
【００１３】
本考案のブラジャーは、前記吊上げ部の上縁部が、前記上カップ部の上縁部に沿って該上カップ部の上端部から側縁部に接続されるのが好ましい。
【考案の効果】
【００１４】
本考案のブラジャーは、上記のように、下カップ部のクッション材の厚さを上カップ部のクッション材の厚さよりも厚く形成したので、カップ部の形態安定性を向上させ、バストの中央への寄せ効果や保形効果を安定的に維持することができる。
【００１５】
下カップ部のクッション材の厚さを上カップ部のクッション材の厚さの略２倍とすれば、最も好適なカップ部の形態安定性が得られ、バストの中央への寄せ効果や保形効果をより向上させることができる。
【００１６】
また、本考案のブラジャーは、下カップ部の裏地に形成した切込みからパッドをパッド収納用ポケットに挿入可能としたので、個々人のバストのボリュームに応じて下カップ部の厚さを調整し、個性に適応した形態安定性を得ることができる。
【００１７】
また、本考案のブラジャーは、肩紐を吊上げ部と肩掛け部から構成し、吊上げ部を正面視で三角形状に形成したので、ブラジャーの体からの浮きを防いで体に密着させ、フィト感を高めることができる。
【００１８】
さらに、吊上げ部の上縁部が、上カップ部の上縁部に沿って上カップ部の上端部から側縁部に接続するようにしたので、従来の吊上げ部と比べてバストを肩線の形状に沿って持ち上げ、脇肉が逃げるのを防止し、よりバストアップすることが可能となった。
【図面の簡単な説明】
【００１９】
【図１】本考案に係るブラジャーの正面図。
【図２】本考案に係るブラジャーの裏面図。
【図３】（ａ）本考案に係るブラジャーの上カップ部を形成する積層体の断面図。（ｂ）本考案に係るブラジャーの下カップ部を形成する積層体の断面図。
【図４】本考案に係るブラジャーのカップ部および土台部の側面断面図。
【図５】従来のブラジャーの裏面図。
【考案を実施するための最良の形態】
【００２０】
本考案に係るブラジャーは、正面図１に示すように、上縁部１１０Ｌ：１１０Ｒ、側縁部１１２Ｌ：１１２Ｒおよび下縁部１１４Ｌ：１１４Ｒを有する左右一対のカップ部１０Ｌ：１０Ｒと、カップ部１０Ｌ：１０Ｒを下方から支持する土台部１２と、土台部１２に接続された左右一対のバック部１４Ｌ：１４Ｒと、カップ部１０Ｌ：１０Ｒとバック部１４Ｌ：１４Ｒとを連結する左右一対の肩紐１６Ｌ：１６Ｒとを含むブラジャー１である。以上の正面の構成は、従来のブラジャーと同一である。なお、本考案のブラジャー１は左右対称であるので、以下特に断りのない限り、カップ部１０Ｌ：１０Ｒ等の左右一対の構成要素は、‘カップ部１０’のように略記することとする。
【００２１】
図２は、ブラジャー１の裏面図である。本考案のブラジャー１は、図２に示すように、カップ部１０が上カップ部１０ａと下カップ部１０ｂとから構成されている。この上カップ部１０ａと下カップ部１０ｂは、図３（ａ）（ｂ）のように、いずれも表地２２、クッション材２４（２４ａ、２４ｂ）、裏地２６を含む積層体２０（２０ａ、２０ｂ）から形成される。ここで、符号２０ａと２４ａは上カップ部１０ａの、符号２０ｂと２４ｂは下カップ部１０ｂの、それぞれ積層体２０とクッション材２４を表し、以下、特に区別する必要のない場合は、単に積層体２０とクッション材２４のように記すものとする。
【００２２】
そして、本考案に係るブラジャー１は、下カップ部１０ｂのクッション材２４ｂの厚さを、上カップ部１０ａのクッション材２４ａの厚さよりも厚く形成したことを特徴とする。下カップ部１０ｂのクッション材２４ｂの厚さは、上カップ部１０ａのクッション材２４ａの厚さの略２倍とするのが好適である。
【００２３】
下カップ部１０ｂのクッション材２４ｂの厚さを上カップ部１０ａのクッション材２４ａの厚さよりも厚く形成することにより、カップ部１０の形態安定性を向上させ、バストの中央への寄せ効果や保形効果を安定的に維持することができる。
【００２４】
さらに、下カップ部１０ｂのクッション材２４ｂの厚さを上カップ部１０ａのクッション材２４ａの厚さの略２倍とすれば、最も好適なカップ部の形態安定性が得られ、バストの中央への寄せ効果や保形効果をより向上せせることができる。
【００２５】
また、本考案のブラジャー１は、下カップ部１０ｂの裏地２６に形成した切込み２８からパッドをパッド収納用ポケット３０に挿入可能とすれば、個々人のバストのボリュームに応じて下カップ部１０ｂの厚さを調整し、個性に適応した形態安定性を得ることができる。
【００２６】
また、本考案のブラジャー１は、肩紐１６は、カップ部１０の側縁部１１２に接続する吊上げ部１７と、バック部１４に接続する肩掛け部１８と、吊上げ部１７と肩掛け部１８とを連結する連結部１９と、から構成され、吊上げ部１７は、カップ部１０の側縁部１１２の上方を一端として連結部１９を挿通し、側縁部１１２の一端より下方を他端としてカップ部１０の側縁部１１２に連結する紐により、正面視で三角形状に形成した。
【００２７】
本考案のブラジャー１は、吊上げ部１７の上縁部が、上カップ部１０ａの上縁部に沿って上カップ部１０ａの上端部１０１から側縁部１１２に接続されるのが好ましい。
【００２８】
ブラジャー１は、公知のブラジャーと同様の方法で製造することができる。図４のように、ブラジャー１のカップ部１０は、表地２２と裏地２６間にクッション材２４ａおよび２４ｂを挟持した積層体２０ａおよび２０ｂを、装飾地５０に縫着することにより形成する。
【００２９】
（１）上カップ部１０ａは、装飾地５０に積層体２０ａを重合し、上端を逢着部７１により一体的に逢着する。
【００３０】
（２）下カップ部１０ｂは、装飾地５０に積層体２０ｂを重合し、下端に裏面からワイヤ５４を挿通した筒状生地５６を、表面から土台部１２の上部をそれぞれ当てて、逢着部７３により一体的に逢着する。土台部１２の下部には、例えば裏面側からテープ状生地５２を逢着部７４により逢着する。
【００３１】
（３）上カップ部１０ａと下カップ部１０ｂの境界には、例えばカップ部１０の裏面よりテープ状生地５２を当て、逢着部７２により装飾地５０、積層体２０ａ、積層体２０ｂを一体的に逢着する。
【００３２】
このようにして形成される本考案に係るブラジャー１の構成素材は、特に限定されるものではなく、市販のブラジャーと同様の材料でブラジャー１を形成することができる。積層体２０ａ、２０ｂは、図３のように、トリコット等からなる表地２２と、天竺や綿、ポリエステル混の編物等からなる裏地２６との間に、クッション材２４ａ、２４ｂを挟持して、公知の手段で熱圧着して形成する。クッション材２４ａ、２４ｂはアクリル、ナイロン、ポリエステル、レーヨン、綿等やこれらの混合物から形成する不織布などが挙げられるが、特に限定されるものではない。
【００３３】
以上、本考案のブラジャーについて説明したが、本考案は上記実施形態に限定されるものではない。本考案のブラジャーのカップの構成は、ブラジャー以外のカップを備えた水着、レオタード、カップ付ドレス、ブラスリップ等にも適用することができる。
【００３４】
また、上記実施形態において、カップ部は上カップ部と下カップ部の２つの部分から構成されるものとしたが、上カップ部および／または下カップ部は、更に細分された他の構成部分を含んでもよい。さらに、カップ部を形成する積層体の構成要素も、表地、クッション材、裏地に限定されるものではなく、その他の構成要素を含んでもよい。
【００３５】
その他、本考案は、その主旨を逸脱しない範囲で当業者の知識に基づき種々の改良、修正、変更を加えた態様で実施できるものである。
【産業上の利用可能性】
【００３６】
本考案に係るブラジャーは、ブラジャーのようなカップ付下着の他、カップを備えた水着、レオタード、カップ付ドレス、ブラスリップなどに利用することができる。
【符号の説明】
【００３７】
１：本考案に係るブラジャー
１０（１０Ｌ：１０Ｒ）：カップ部
１０１（１０１Ｌ：１０１Ｒ）：上端部
１１０（１１０Ｌ：１１０Ｒ）：上縁部
１１２（１１２Ｌ：１１２Ｒ）：側縁部
１１４（１１４Ｌ：１１４Ｒ）：下縁部
１０ａ：上カップ部
１０ｂ：下カップ部
１２：土台部
１４（１４Ｌ：１４Ｒ）：バック部
１６（１６Ｌ：１６Ｒ）：肩紐
１７（１７Ｌ：１７Ｒ）：吊上げ部
１８（１８Ｌ：１８Ｒ）：肩掛け部
１９（１９Ｌ：１９Ｒ）：連結部
２０（２０ａ、２０ｂ）：積層体
２２：表地
２４（２４ａ、２４ｂ）：クッション材
２６：裏地
２８：切込み
３０：パッド収納用ポケット
５０：装飾地
５２：テープ状生地
５４：ワイヤ
５６：筒状生地
７１、７２、７３、７４：逢着部
５０１：従来のブラジャー
５１０：カップ部
５１０ａ：上カップ部
５１０ｂ：下カップ部
５１２：土台部
５１４：バック部
５１６：肩紐
【図１】
0003183699.tif 000003
【図２】
0003183699.tif 000004
【図３】
0003183699.tif 000005
【図４】
0003183699.tif 000006
【図５】
0003183699.tif 000007